(57)【要約】【課題】  治具挿入口に対する治具の挿し込み作業を容易にする。【解決手段】  ハウジング１０の前面壁１２における治具挿入口５２の口縁部のうち撓み空間２１Ｂと対応する領域が、ハウジング１０とは別体であり、且つハウジング１０に対し治具挿入口５２を広げる方向への変位を可能とされた口縁構成体４０によって構成されている。治具Ｊを挿し込む際には、治具挿入口５２を広げるように口縁構成体４０を変位させることにより、治具Ｊの挿し込み作業が簡単となる。また、治具Ｊの挿し込みが不要なときには、治具挿入口５２を狭める方向へ口縁構成体４０を変位させれば、治具挿入口５２からの異物の侵入を防止することができる。【選択図】  図７
2006100228.tif 000002
【特許請求の範囲】
【請求項１】
端子収容部が設けられているハウジングと、
前記端子収容部の内壁に沿った形態であって、前記端子収容部に隣接する撓み空間側への弾性撓みを可能とされたランスと、
前記端子収容部内に挿入される端子金具とを備えてなり、
前記端子金具が前記端子収容部内に挿入された状態では、前記ランスが前記端子金具に係止することで、前記端子金具が抜止め状態に保持されるようになっており、
前記ハウジングの前面に開口する治具挿入口から挿し込んだ治具により、前記ランスを前記端子金具から解離させる方向へ撓ませることで、前記端子金具を前記ランスによる抜止め状態から解放させるようにしたコネクタにおいて、
前記ハウジングの前面壁における前記治具挿入口の口縁部のうち前記撓み空間と対応する領域が、前記ハウジングとは別体であり、且つ前記ハウジングに対し前記治具挿入口を広げる方向への変位を可能とされた口縁構成体によって構成されていることを特徴とするコネクタ。
【請求項２】
前記口縁構成体が、前記端子収容部内に進入される端子係止部を有しており、
前記口縁構成体が前記治具挿入口を狭める位置にある状態では、前記端子係止部が前記端子金具に係止することで前記端子金具を抜止め状態に保持し、
前記口縁構成体が前記治具挿入口を広げる位置にある状態では、前記端子係止部が前記端子金具から解離する構成とされていることを特徴とする請求項１記載のコネクタ。
【請求項３】
前記口縁構成体が前記治具挿入口を狭める位置にある状態では、前記口縁構成体が前記ランスに当接することで前記ランスの前記撓み空間側への弾性撓みを規制する構成としたことを特徴とする請求項１または請求項２に記載のコネクタ。
【発明の詳細な説明】
【技術分野】
【０００１】  本発明は、コネクタに関するものである。
【背景技術】
【０００２】  特許文献１には、ハウジングの端子収容部内に挿入した端子金具を、端子収容部の内壁に沿って形成したランスの係止によって抜止めするようにしたコネクタについて開示されている。【０００３】  この種のコネクタでは、ハウジングの前面に開口する治具挿入口からランスの撓み空間内に治具を挿し込み、その治具によってランスを端子金具から解離させる方向へ撓ませることで、端子金具をランスによる抜止め状態から解放させるようになっている。
【特許文献１】  特開平５−１８２７１２号公報
【発明の開示】
【発明が解決しようとする課題】
【０００４】  上記のようなコネクタにおいて、小型化を図った場合、ランス及び撓み空間が小さくなり、それに伴なって、治具挿入口も小さくなることは避けられない。この場合、治具挿入口に対して治具を差し込む作業が行い難くなるという問題がある。
本発明は上記のような事情に基づいて完成されたものであって、治具挿入口に対する治具の挿し込み作業を容易に行うことができるようにすることを目的とする。
【課題を解決するための手段】
【０００５】  上記の目的を達成するための手段として、請求項１の発明は、端子収容部が設けられているハウジングと、前記端子収容部の内壁に沿った形態であって、前記端子収容部に隣接する撓み空間側への弾性撓みを可能とされたランスと、前記端子収容部内に挿入される端子金具とを備えてなり、前記端子金具が前記端子収容部内に挿入された状態では、前記ランスが前記端子金具に係止することで、前記端子金具が抜止め状態に保持されるようになっており、前記ハウジングの前面に開口する治具挿入口から挿し込んだ治具により、前記ランスを前記端子金具から解離させる方向へ撓ませることで、前記端子金具を前記ランスによる抜止め状態から解放させるようにしたコネクタにおいて、前記ハウジングの前面壁における前記治具挿入口の口縁部のうち前記撓み空間と対応する領域が、前記ハウジングとは別体であり、且つ前記ハウジングに対し前記治具挿入口を広げる方向への変位を可能とされた口縁構成体によって構成されているところに特徴を有する。【０００６】  請求項２の発明は、請求項１に記載のものにおいて、前記口縁構成体が、前記端子収容部内に進入される端子係止部を有しており、前記口縁構成体が前記治具挿入口を狭める位置にある状態では、前記端子係止部が前記端子金具に係止することで前記端子金具を抜止め状態に保持し、前記口縁構成体が前記治具挿入口を広げる位置にある状態では、前記端子係止部が前記端子金具から解離する構成とされているところに特徴を有する。【０００７】  請求項３の発明は、請求項１または請求項２に記載のものにおいて、前記口縁構成体が前記治具挿入口を狭める位置にある状態では、前記口縁構成体が前記ランスに当接することで前記ランスの前記撓み空間側への弾性撓みを規制する構成としたところに特徴を有する。
【発明の効果】
【０００８】  ＜請求項１の発明＞
治具を挿し込む際には、治具挿入口を広げるように口縁構成体を変位させることにより、治具の挿し込み作業が簡単となる。また、治具の挿し込みが不要なときには、治具挿入口を狭める方向へ口縁構成体を変位させれば、治具挿入口からの異物の侵入を防止することができる。【０００９】  ＜請求項２の発明＞
端子金具が端子収容部に挿入された状態において、口縁構成体を治具挿入口を狭める位置へ変位させると、口縁構成体の端子係止部が端子金具に係止して端子金具を抜止めする。端子金具を抜き取る際には、口縁構成体を治具挿入口が拡がる方向へ変位させると、端子係止部が端子金具から解離して端子金具が抜止め状態から解放される。端子金具の抜取り作業の要否に応じて口縁構成体を変位させると、それに伴なって端子係止部が端子金具に係止する位置と端子金具から解離する位置との間を移動するようになっているので、口縁構成体を変位させる作業と端子係止部を移動させる作業を別々に行う必要がなく、作業性がよい。【００１０】  ＜請求項３の発明＞
端子金具の抜き取りが不要な状態では、口縁構成体を治具挿入口を狭める位置に変位させると、口縁構成体がランスに当接することでランスの撓み空間側への弾性撓みを規制するので、端子金具の抜止め機能の信頼性が向上する。
【発明を実施するための最良の形態】
【００１１】  ＜実施形態１＞
以下、本発明を具体化した実施形態１を図１乃至図１１を参照して説明する。実施形態のコネクタは、合成樹脂製のハウジング１０と、ハウジング１０に収容される複数の端子金具３０と、ハウジング１０に組み付けられる口縁構成体４０とを備えて構成されている。
ハウジング１０は全体として扁平なブロック状をなし、ハウジング１０の内部には、複数の端子収容部１１Ａ，１１Ｂが上下２段に分かれ、且つ各段毎に左右に同じ高さで並列して形成されている。上段側の端子収容部１１Ａは前後方向に細長く、端子収容部１１Ａの前端はハウジング１０の前面壁１２を貫通するタブ挿入口１３を介してハウジング１０の前端面に開放され、端子収容部１１Ａの後端は端子挿入口１４としてハウジング１０の後端面に開放されている。また、各端子収容部１１Ａには、その下面壁に沿って前方へ片持ち状に延出した形態のランス１５Ａが形成されている。
一方、下段側の端子収容部１１Ｂは前後方向に細長く、端子収容部１１Ｂの前端はハウジング１０の前面壁１２を貫通するとともに、前面壁１２の下縁部を切欠した形態の凹部１６を介してハウジング１０の前端面に開放されている。この凹部１６はタブ挿入口１７を構成する。また、端子収容部１１Ｂの後端は端子挿入口１４としてハウジング１０の後端面に開放されている。各端子収容部１１Ｂには、その下面壁に沿って前方へ片持ち状に延出した形態のランス１５Ｂが形成されている。【００１２】  ランス１５Ａ，１５Ｂは、幅寸法が全長に亘ってほぼ一定であり、且つ厚さ寸法（上下寸法）も全長に亘ってほぼ一定とされた扁平に板状をなす。ランス１５Ａ，１５Ｂの上面における前端部は、前下がりの勾配となるように切欠された形態の治具受け面１８となっている。また、ランス１５Ａ，１５Ｂの上面における治具受け面１８の後方に隣接する領域には、係止突起１９が形成されている。かかるランス１５Ａ，１５Ｂは、その後端部（基端部）を支点として上下方向（端子収容部１１Ａ，１１Ｂに対する端子金具３０の挿入・抜取り方向と直交する厚さ方向）へ弾性撓みし得るようになっている。ランス１５Ａ，１５Ｂが弾性撓みしない自由状態にあるとき、ランス１５Ａ，１５Ｂの上面は端子収容部１１Ａ，１１Ｂの下面壁とほぼ面−の高さとなり、係止突起１９が端子収容部１１Ａ，１１Ｂ内（即ち、端子金具３０の挿入空間内）へ進出する。また、ランス１５Ａ，１５Ｂが下方（撓み空間２１Ａ，２１Ｂ側）へ弾性撓みしたときには、係止突起１９が端子金具３０の挿入空間よりも下方へ退避した状態となる。下段側のランス１５Ｂの下面（後述する撓み空間２１Ｂに臨む面）には、ランス１５Ｂの幅方向中央に位置し、且つランス１５Ｂの前端よりも少し方向の位置（前後方向における係止突起１９のほぼ中央位置）からランス１５Ｂの後端に亘る長さで補強リブ２０が形成されている。補強リブ２０の幅寸法はランス１５Ｂよりも狭くなっている。【００１３】  ハウジング１０内には、ランス１５Ａ，１５Ｂの弾性撓みを許容するための撓み空間２１Ａ，２１Ｂが設けられている。上段のランス１５Ａ用の撓み空間２１Ａは、各ランス１５Ａの下方に位置するとともに、ハウジング１０の前端面に開放された形態で形成されている。ハウジング１０の前端面における各撓み空間２１Ａの開口領域は、横長スリット状をなすとともにタブ挿入口１３に連通する治具挿入口２２となっている。この上段側の撓み空間２１Ａと端子収容部１１Ａはランス１５Ａを挟んで上下に隣接する位置関係となっている。また、上段の撓み空間２１Ａを構成する下面壁２３は、下段の端子収容部１１Ｂとの間を仕切る仕切壁となっている。
一方、下段のランス１５Ｂ用の撓み空間２１Ｂも、上段側と同様に、各ランス１５Ｂの下方に位置するとともに、ハウジング１０の前端面に開放された形態で形成されている。ハウジング１０の前端面における各撓み空間２１Ｂの開口領域は、タブ挿入口１７に連通されている。また、下段側の撓み空間２１Ｂは、ハウジング１０の下面（外面）にも開口されており、この開口部は、ランス１５Ｂの後端からハウジング１０の前端面に至る領域（撓み空間２１Ｂを含む領域）に亘り、且つ左右方向においてはハウジング１０の全幅に亘って大きく開口されている。そして、この撓み空間２１Ｂの下面側の開口部は、ハウジング１０の前端面における撓み空間２１Ｂの開口領域と連通している。【００１４】  端子金具３０は、全体として前後方向に細長く、雌形をなす。端子金具３０の略前半部分は角筒部３１となっており、略後半部分はオープンバレル状の電線接続部３２となっていて、電線接続部３２には電線３３の端末部が圧着により接続されている。角筒部３１の下面には、ランス１５Ａ，１５Ｂの係止突起１９を係止させるための係止孔（図示せず）が形成されている。かかる端子金具３０は、後方から端子収容部１１Ａ，１１Ｂ内に挿入される。挿入過程では、角筒部３１の下面が係止突起１９に当接することで、ランス１５Ａ，１５Ｂが下方（撓み空間２１Ａ，２１Ｂ内へ進出する方向）へ弾性撓みして前傾姿勢となる。そして、端子金具３０が正規挿入位置に達すると、ランス１５Ａ，１５Ｂが弾性復帰して係止突起１９が係止孔に係止し、もって端子金具３０が後方への抜取りを規制された状態（抜止め状態）に保持される。【００１５】  また、端子金具３０を端子収容部１１Ａ，１１Ｂから抜き取る際には、後述するように、ハウジング１０の前面の治具挿入口２２，５２に細長い治具Ｊを挿し込み、その治具Ｊの先端をランス１５Ａ，１５Ｂの治具受け面１８に宛がった状態で治具Ｊを傾き操作すると、ランス１５Ａ，１５Ｂが係止突起１９を係止孔（端子金具３０）から解離させるように撓み空間２１Ａ，２１Ｂ側へ強制的に弾性撓みさせる。これにより、端子金具３０はランス１５Ａ，１５Ｂによる抜止め状態から解放される。【００１６】  口縁構成体４０は、合成樹脂製であり、ハウジング１０の下面と略平行な方形板状をなす壁部４１と、この壁部４１の左右両側縁から上方へ立ち上がる一対の側壁４２と、壁部４１の後端部から上方へ立ち上がる後壁４３とからなる。側壁４２の内面には係止溝４４が形成されている。後壁４３の上端部は、上段側の端子収容部１１Ａに挿入された端子金具３０の角筒部３１に対して後方から係止可能な端子係止部４５Ａとなっている。また、後壁４３には、前後方向に貫通する貫通孔４６が形成され、貫通孔４６の孔縁部のうち下縁部は、下段側の端子収容部１１Ｂに挿入された端子金具３０の角筒部３１に対して後方から係止可能な端子係止部４５Ｂとなっている。【００１７】  かかる口縁構成体４０は、両側壁４２をハウジング１０の外側面に沿わせるようにして下からハウジング１０に組み付けられる。ハウジング１０に組み付けられた口縁構成体４０は、係止溝４４をハウジング１０の仮係止突起２５と本係止突起２６に係止させる仮係止位置（図９���参照）と、この仮係止位置よりも上方であって係止溝４４をハウジング１０の本係止突起２６に係止させる本係止位置（図１０を参照）とのいずれかに保持されるようになっている。【００１８】  壁部４１は、ハウジング１０の下面における下段の撓み空間２１Ｂの開口部と対応する形態（開口部を塞ぐような形態）とされており、口縁構成体４０が仮係止位置の状態では、壁部４１がハウジング１０の下面よりも下方へ突出した位置（高さ）となり、壁部４１の上面（撓み空間２１Ｂと対向する面）と自由状態のランス１５Ｂの下面との間には、端子金具３０の挿入動作を許容し得る程度にランス１５Ｂが撓み空間２１Ｂ側へ弾性撓みすることを可能とするスペースが確保されるようになっている。口縁構成体４０が本係止位置にある状態では、壁部４１の下面（外面）がハウジング１０の下面（外面）に対して面一状となり、壁部４１の上面が自由状態のランス１５Ｂの前端部下面に当接、若しくはごく僅かなクリアランスを空けて対向するようになる。この本係止位置の状態では、ランス１５Ｂの撓み空間２１Ｂ側への弾性撓み（端子金具３０から係止突起１９を解離させる方向への弾性撓み）が規制される。【００１９】  また、壁部４１には、左右方向において下段のランス１５Ｂと対応する複数の逃がし部４７が形成されている。逃がし部４７は、補強リブ２０と対応するように配置され、逃がし部４７の長さ寸法と幅寸法は、補強リブ２０を収容し得る寸法に設定されている。また、逃がし部４７は、壁部４１を上下方向に貫通する形態となっている。口縁構成体４０が仮係止位置にある状態では、逃がし部４７は自由状態のランス１５Ｂの補強リブ２０よりも下方に位置し、口縁構成体４０が本係止位置にある状態では、逃がし部４７内に補強リブ２０が収容されるようになっている。さらに、壁部４１におけるランス１５Ｂよりも前方の位置（逃がし部４７よりも前方の位置）には、左右方向に延びるリブ状の補強部４８が上方へ突出する形態で形成されている。【００２０】  さらに、壁部４１の前端部には、その前縁に沿って上方へ立ち上がる口縁構成部４９が形成されている。口縁構成部４９には、その上縁部を切欠した形態の切欠部が形成されており、この切欠部の略上半分領域が幅広切欠部５０とされ、凹部１６の略下半分領域が幅狭切欠部５１となっている。幅広切欠部５０と上記したハウジング１０の凹部１６とによって横長方形のタブ挿入口１７が構成される。また、幅狭切欠部５１は、タブ挿入口１７の下縁に連通する形態であって、下段側の撓み空間２１Ｂの前端と連通する。この幅狭切欠部５１には治具Ｊを差し込むことができるようになっている。そして、タブ挿入口１７と幅狭切欠部５１とによって治具挿入目５２が構成されている。【００２１】  口縁構成体４０が仮係止位置にある状態では、図４及び図５に示すように、ハウジング１０の前面壁１２に対して口縁構成体４０の口縁構成部４９が下方へ離間した位置にあり、凹部１６と幅広切欠部５０とが上下に離間することによってタブ挿入口１７と治具挿入口５２が上下に広がった状態となる。また、口縁構成体４０が本係止位置にある状態では、図３及び図６に示すように、ハウジング１０の前面壁１２の下端面に口縁構成��４９の上面が当接し、仮係止位置のときに比べると、凹部１６と幅広切欠部５０が接近することによってタブ挿入口１７と治具挿入口５２が上下方向において狭まった状態となる。【００２２】  次に、本実施形態の作用を説明する。
端子金具３０を端子収容部１１Ａ，１１Ｂに挿入する際には、まず、口縁構成体４０を仮係止位置に保持しておく。この状態では、壁部４１が下段のランス１５Ｂとの間に上下の間隔を空けるため、ランス１５Ｂの撓み空間２１Ｂ側への弾性撓みが許容されるとともに、端子係止部４５Ａ，４５Ｂが、端子収容部１１Ａ，１１Ｂ（端子金具３０の挿入経路）よりも下方へ退避した状態となるため、端子収容部１１Ａ，１１Ｂに対する端子金具３０の挿入動作が許容される。この状態で各端子収容部１１Ａ，１１Ｂに端子金具３０を挿入する。挿入過程では、ランス１５Ａ，１５Ｂが撓み空間２１Ａ，２１Ｂ側へ弾性撓みするので、端子金具３０の挿入動作に支障を来たすことはない。【００２３】  端子金具３０が正規位置まで挿入されると、ランス１５Ａ，１５Ｂが自由状態へ弾性復帰し、係止突起１９が角筒部３１の係止孔（図示せず）に係止することにより、端子金具３０が抜止め状態に保持される。この後、仮係止位置の口縁構成体４０を本係止位置へ押し上げる。すると、端子係止部４５Ａ，４５Ｂが角筒部３１に係止することにより、端子金具３０が抜止めされる。つまり、端子金具３０は、ランス１５Ａ，１５Ｂと口縁構成体４０とにより、二重に係止された状態となる。また、口縁構成体４０が本係止位置に変位すると、壁部４１がランス１５Ｂの撓みスペース内に進出してランス１５Ｂの下面に当接またはごく接近して対向する状態になるとともに、補強リブ２０が逃がし部４７内に収容される。この状態では、下段側のランス１５Ｂに関しては、壁部４１がランス１５Ｂの弾性撓みを規制するので、ランス１５Ｂと端子係止部４５Ｂと壁部４１とにより、三重に抜止めされることになる。【００２４】  同じく口縁構成体４０が本係止位置にある状態では、補強部４８の上面と端子金具３０の角筒部３１の下面との隙間が治具Ｊの厚さ寸法よりも狭まるため、治具挿入口５２から治具Ｊが誤って差し込まれても、その治具はランス１５Ｂに到達する前に補強部４８に突き当たることになる。したがって、口縁構成体４０が本係止位置にある状態では、治具Ｊによってランス１５Ｂを抜止め解除方向へ撓ますことができないようになっている。【００２５】  上記のように端子収容部１１Ａ，１１Ｂ内で抜止めされている端子金具３０を抜き取る際には、まず、口縁構成体４０を仮係止位置へ変位させて、端子係止部を端子金具３０から解離させる。また、下段のランス１５Ｂについては、壁部４１による撓み空間２１Ｂ側への撓みを規制された状態から解放される。さらに、下段側のタブ挿入口１７が上下に割れて、治具挿入口５２の開口領域が上下に広がるとともに、端子金具３０の角筒部３１の下面と壁部４１の上面との間の隙間も上下に拡がる。【００２６】  この状態で、ハウジング１０の前方から治具Ｊを治具挿入口２２，５２及び角筒部３１と壁部４１との隙間に挿し込む。このとき、下段側に関しては、治具挿入口５２の上下寸法（凹部１６の上縁から幅狭切欠部５１の下縁までの寸法）が拡大されているので、治具Ｊを挿し込む作業は容易となっている。【００２７】  そして、挿し込んだ治具Ｊの先端部をランス１５Ａ，１５Ｂの治具受け面１８に宛がい、治具Ｊを下向きに傾けるように操作す��ことにより、ランス１５Ａ，１５Ｂを撓み空間２１Ａ，２１Ｂ側（即ち、端子金具３０から解離させる方向）へ強制的に弾性撓みさせる。このとき、角筒部３１と壁部４１との隙間も上下に拡大されているので、治具Ｊを大きく傾けることができる。このようにランス１５Ａ，１５Ｂを撓ませると、端子金具３０がランス１５Ａ，１５Ｂによる抜止め状態から解放されるので、この治具Ｊによる抜止め解除状態を保ったままで、電線３３を摘んで端子金具３０を後方へ引き抜けばよい。【００２８】  上述のように本実施形態においては、ハウジング１０の前面に開口する治具挿入口２２，５２から挿し込んだ治具Ｊにより、ランス１５Ａ，１５Ｂを端子金具３０から解離させる方向へ撓ませることで、端子金具３０をランス１５Ａ，１５Ｂによる抜止め状態から解放させるようになっているのであるが、ハウジング１０の前面壁１２における下段側の治具挿入口５２の口縁部のうち撓み空間２１Ｂと対応する領域が、ハウジング１０とは別体であり、且つハウジング１０に対し治具挿入口５２を広げる方向への変位を可能とされた口縁構成体４０によって構成されている。【００２９】  図１１に示すようにタブ挿入口６０の開口領域が増減しない構造のものでは、治具Ｊを挿入する作業が困難となるが、本実施形態では、治具Ｊを挿し込む際には、図７に示すように、治具挿入口５２を広げるように口縁構成体４０を変位させることができるので、治具Ｊの挿し込み作業が簡単となる。また、治具Ｊの挿し込みが不要なときには、治具挿入口５２を狭める方向へ口縁構成体４０を変位させれば、治具挿入口５２からの異物の侵入を防止することができる。【００３０】  また、口縁構成体４０が治具挿入口５２を狭める本係止位置にある状態では、口縁構成体４０に設けた端子係止部４５Ａ，４５Ｂが端子金具３０に係止することで端子金具３０を抜止め状態に保持し、口縁構成体４０が治具挿入口５２を広げる仮係止位置にある状態では、端子係止部４５Ａ，４５Ｂが端子金具３０から解離する位置へ退避して、端子金具３０が抜止め状態から解放されるようにしている。即ち、端子金具３０の抜取り作業の要否に応じて口縁構成体４０を変位させると、それに伴なって端子係止部４５Ａ，４５Ｂが端子金具３０に係止する位置と端子金具３０から解離する位置との間を移動するようになっているので、口縁構成体４０を変位させる作業と端子係止部４５Ａ，４５Ｂを移動させる作業を別々に行う必要がなく、作業性がよい。【００３１】  また、端子金具３０の抜き取りが不要な状態では、口縁構成体４０を治具挿入口５２を狭める仮係止位置に変位させると、口縁構成体４０がランス１５Ｂに当接することでランス１５Ｂの撓み空間２１Ｂ側への弾性撓みを規制するので、端子金具３０の抜止め機能の信頼性が高い。【００３２】  ＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では口縁構成体が治具挿入口を狭める位置に変位した状態では、口縁構成体がランスに当接してランスの撓み空間側への弾性撓みを規制するようにしたが、本発明によれば、口縁構成体が治具挿入口を狭める位置に変位した状態において、口縁構成体がランスに当接せず、ランスの撓み空間側への弾性撓みを許容するようにしてもよい。
（２）上記実施形態では口縁構成体に、端子収容部内に進入して端子金具に係止することで端子金具を抜止め状態に保持する端子係止部を設けたが、本発明によれば、口縁構成体に端子係止部を設けない構成としてもよい。
（３）上記実施形態では端子金具が雌形の端子金具である場合について説明したが、本発明は、端子金具が雄形の端子金具である場合にも適用できる。
【図面の簡単な説明】
【００３３】
【図１】  実施形態１におけるハウジングと口縁構成体の分離状態をあらわす斜視図
【図２】  ハウジングを上下反転させた状態をあらわす一部切欠斜視図
【図３】  タブ挿入口が狭められている状態をあらわす正面図
【図４】  タブ挿入口が広げられている状態をあらわす正面図
【図５】  口縁構成体が仮係止位置にあってタブ挿入口が広げられている状態をあらわす縦断面図
【図６】  口縁構成体が本係止位置にあってタブ挿入口が狭められている状態をあらわす縦断面図
【図７】  タブ挿入口を広げた状態で治具を挿し込んだ状態をあらわす縦断面図
【図８】  タブ挿入口に差し込んだ治具によりランスを端子金具から解離させる方向へ撓ませた状態をあらわす縦断面図
【図９】  口縁構成体が本係止位置にある状態をあらわす横断面図
【図１０】  口縁構成体が仮係止位置にある状態をあらわす横断面図
【図１１】  従来例のものにおいて治具でランスを撓ませている状態をあらわす縦断面図
【符号の説明】
【００３４】１０…ハウジング
１１Ｂ…端子収容部
１５Ｂ…ランス
２１Ｂ…撓み空間
３０…端子金具
４０…口縁構成体
４５Ｂ…端子係止部
５２…治具挿入口
Ｊ…治具
【図１】
2006100228.tif 000003
【図２】
2006100228.tif 000004
【図３】
2006100228.tif 000005
【図４】
2006100228.tif 000006
【図５】
2006100228.tif 000007
【図６】
2006100228.tif 000008
【図７】
2006100228.tif 000009
【図８】
2006100228.tif 000010
【図９】
2006100228.tif 000011
【図１０】
2006100228.tif 000012
【図１１】
2006100228.tif 000013
【手続補正書】
【提出日】平成17年9月20日(2005.9.20)
【手続補正１】
【補正対象書類名】図面
【補正対象項目名】全図
【補正方法】変更
【補正の内容】
【図１】
2006100228.tif 000014
【図２】
2006100228.tif 000015
【図３】
2006100228.tif 000016
【図４】
2006100228.tif 000017
【図５】
2006100228.tif 000018
【図６】
2006100228.tif 000019
【図７】
2006100228.tif 000020
【図８】
2006100228.tif 000021
【図９】
2006100228.tif 000022
【図１０】
2006100228.tif 000023
【図１１】
2006100228.tif 000024